(57)【要約】      （修正有）【課題】少数枚の紙でも用にステープルできる、フラットクリンチ型ステープラ。【解決手段】フラットクリンチ型ステープラは、ベース１０、マガジンアセンブリ２０、ハンドル装置３０、フラットクリンチ装置４０及び緩衝装置５０を有している。フラットクリンチ装置は、スライダー４１及びムービングボード４２を有している。スライダーは、ベースに滑動自在に取り付けられている。ムービングボードは、スライダーの上に取り付けられており、かつ、ベースに枢動自在に接続されている。緩衝装置は、突起、ブロック５２及び弾性部材５３を有している。突起は、ムービングボード４２に固定的に配設されている。ブロックは、ベース１０に滑動自在に取り付けられており、突起に当接する。弾性部材は、ブロック及びベースに当接している。ムービングボードが、枢動されると、ブロックは、突起によって駆動されて、移動する。【選択図】図２
2014042978.tif 000002
【特許請求の範囲】
【請求項１】
フラットクリンチ型ステープラであって、該フラットクリンチ型ステープラは、 
ベースであって、
前端部と、
前端部に対向している後端部と、
前端部と後端部との間に位置する中央部分と、
を有するベースと、
ベースの後端部に枢動自在に接続された後端部を有するマガジンアセンブリと、
マガジンアセンブリの上に取り付けられており、かつ、ベースの後端部に枢動自在に接続されている後端部を有するハンドル装置と、
フラットクリンチ装置であって、該フラットクリンチ装置は、
スライダーであって、該スライダーは、ハンドル装置によって駆動させることができ、ベースの中央部分に滑動自在に取り付けられており、かつ、
スライダーを貫通して形成されている貫通孔と、
ベースの前端部に隣接している前端部と、
を有するスライダーと、
ムービングボードであって、スライダーの上に取り付けられており、かつ、
底面と、
ベースに枢動自在に接続された後端部とを有し、該ムービングボードは、スライダーがベースの後端部に向かって後方に移動される前には、スライダー によって制限され、かつ、下降することが妨げられている、
ムービングボードと、
ムービングボードの前端部に取り付けられているクリンチユニットと、
を有するフラットクリンチ装置と、
緩衝装置であって、該緩衝装置は、
ムービングボードの底面に固定的に配設され、スライダーの貫通孔を貫通して取り付けられ、かつ、突起当接部を有している突起と、
ブロックであって、ベースの中央部分に取り付けられており、ベースの前端部と後端部との間で滑動自在であり、ムービングボードが枢動される時、突起によって駆動されることができ、かつ、
ブロック当接部であって、突起当接部によって当接し、突起当接部及びブロック当接部の少なくとも一方は、傾斜面であるブロック当接部
を有するブロックと、
ベースの前端部及び後端部に向かって延出し、かつ、ブロック及びベースに当接する弾性部材と、
を有する緩衝装置と、
を備えることを特徴とするフラットクリンチ型ステープラ。
【請求項２】
突起当接部及びブロック当接部は、傾斜面であることを特徴とする請求項１記載のフラットクリンチ型ステープラ。
【請求項３】
ブロック当接部と水平面との間の角度は、３０度〜６０度の範囲であることを特徴とする請求項２記載のフラットクリンチ型ステープラ。
【請求項４】
突起は、底部側を有する後端部を有しており、
突起当接部は、突起の後端部の底部側に形成されており、
ブロックは、上部側を有する前端部を有しており、かつ、
ブロック当接部は、ブロックの前端部の上部側に形成されている、
ことを特徴とする請求項１又は２又は３記載のフラットクリンチ型ステープラ。
【請求項５】
突起は、底部側を有する前端部を有しており、
突起当接部は、突起の前端部の底部側に形成されており、
ブロックは、上部側を有する後端部を有しており、かつ、
ブロック当接部は、ブロックの後端部の上部側に形成されている、
ことを特徴とする請求項１又は２又は３記載のフラットクリンチ型ステープラ。
【請求項６】
弾性部材は、ばねであることを特徴とする請求項１乃至５のいずれか１項に記載のフラットクリンチ型ステープラ。
【請求項７】
弾性部材は、圧縮ばねであることを特徴とする請求項６に記載のフラットクリンチ型ステープラ。
【請求項８】
ベースは、 
ベースの中央部分に形成されており、かつ、ベースの前端部及び後端部に向かって延出している案内溝を有し、かつ、
ブロックは、案内溝に取り付けられており、かつ、案内溝に沿って滑動することができる、
ことを特徴とする請求項１、２、３及び７のいずれか１項に記載のフラットクリンチ型ステープラ。
【請求項９】
ブロックは、さらに、
後部側と、
案内溝に取り付けられている案内部と、
案内部の下に位置し、かつ、案内部に固定的に配設されており、かつ、案内溝の幅より大きな幅を有している板である制限部と、
ブロックの後部側に位置するランプ部と、
を有している、
ことを特徴とする請求項８に記載のフラットクリンチ型ステープラ。
【請求項１０】
クリンチユニットは、
ムービングボードの前端部の２つの対向する側にそれぞれ、かつ、枢動自在に取り付けられており、かつ、それぞれ底部を有する２つの枢動チャンクであって、該２つの枢動チャンクの２つの枢動点は、水平面に位置している２つの枢動チャンクを有しており、
ベースは、 
ベースの前端部に配設されており、かつ、２つの枢動チャンクの底部に当接する支柱を有し、２つの枢動チャンクは、支柱によって押されて、ムービングボードが下方に枢動される時、それぞれ上方に枢動する、
ことを特徴とする請求項１又は２又は３に記載のフラットクリンチ型ステープラ。
【請求項１１】
クリンチユニットは、
ムービングボードの前端部の２つの対向する側にそれぞれ、かつ、枢動自在に取り付けられており、かつ、それぞれ、底部を有している２つの枢動チャンクであって、該２つの枢動チャンクの２つの枢動点は、水平面に位置している２つの枢動チャンクを有しており、
ベースは、
ベースの前端部に配設されており、かつ、２つの枢動チャンクの底部に当接する支柱を有し、２つの枢動チャンクは、支柱によって押されて、ムービングボードが、下方に枢動される時、それぞれ上方に枢動する、
ことを特徴とする請求項９記載のフラットクリンチ型ステープラ。
【請求項１２】
案内溝は、
幅を有する長方形の前部領域と、
前部領域と連通し、かつ、前部領域の幅より大きな幅を有している長方形の後部領域と、
を有している、
ことを特徴とする請求項８又は１１記載のフラットクリンチ型ステープラ。
【発明の詳細な説明】
【技術分野】
【０００１】
本発明は、フラットクリンチ型ステープラに関し、特に、緩衝装置を有するフラットクリンチ型ステープラに関するものである。
【背景技術】
【０００２】
図１１を参照すると、従来のフラットクリンチ型ステープラのフラットクリンチング手順は、主として２つのステップを有している。第１のステップは、ハンドル装置７０でスライダー８１を駆動して滑動させ、ムービングボード８２が、枢動自在になるステップである。第２のステップは、ハンドル装置７０がムービングボードスプリング８３の弾性力に打ち勝つことによって、ムービングボード８２が、駆動され、次いで下方に枢動されるステップである。これにより、ステープルは、フラットクリンチ型ステープラのクリンチユニットによってフラットクリンチされる。
【発明の概要】
【発明が解決しようとする課題】
【０００３】
従来のフラットクリンチ型ステープラは、最高４０枚の紙をステープルするよう設計されており、ムービングボードスプリング８３は、フラットクリンチ型ステープラで４０枚の紙をステープルした時、良好なフラットクリンチング効果を有するよう、高い弾性係数を有していなければならない。しかしながら、高い弾性係数を有するムービングボードスプリング８３では、フラットクリンチ型ステープラで少数枚の紙をステープルした時、フラットクリンチ効果が弱まってしまう。
【０００４】
従来のフラットクリンチ型ステープラでは、ユーザーは、フラットクリンチ型ステープラを用いて、ほんの少しの数枚の紙、例えば、２枚の紙しかステープルしない場合は、強い力を加えない。ムービングボード８２が、下方に枢動される時、ユーザーは、ムービングボード８２が、特定の位置まで枢動されて、フラットクリンチング手順が完了した、と解釈して、判断を誤ることがよくある。事実としては、ムービングボード８２は、まだ特定の位置まで枢動されておらず、ムービングボードスプリング８３の強い弾性力に打ち勝ってはいない。したがって、ステープルの脚部は、実際にはフラットクリンチされておらず、脚部同士の間に開口が形成されている。
【０００５】
要するに、少数枚の紙をステープルする場合は、従来のフラットクリンチ型ステープラでは、ユーザーは、ステープルがフラットクリンチされた、と解釈して、判断を誤る結果、ムービングボード８２をいっぱいまで押圧しないことが容易に起こる。従来のフラットクリンチ型ステープラでは、良好なフラットクリンチング効果が得られず、したがって、改善が必要である。
【０００６】
この欠点に鑑みて、本発明は、緩衝装置を有するフラットクリンチ型ステープラ提供して、上記の問題を軽減しようとするものである。
【課題を解決するための手段】
【０００７】
本発明の主な目的は、緩衝装置を有するフラットクリンチ型ステープラを提供することである。ムービングボードとベースとの間に取り付けられている緩衝装置により、ユーザーは、従来のムービングボードスプリングの弾性力の代わりに、主として緩衝装置の弾性部材の弾性力に打ち勝つことになる。緩衝装置の突起によって、ブロックが、特定の位置まで押されると、フラットクリンチング手順が完了し、したがって、ユーザーは、判断を誤ることがない。
【０００８】
フラットクリンチ型ステープラは、ベース、マガジンアセンブリ、ハンドル装置、フラットクリンチ装置及び緩衝装置を有している。マガジンアセンブリ及びハンドル装置は、ベースに枢動自在に接続されている。フラットクリンチ装置は、スライダー及びムービングボードを有している。スライダーは、ベースに滑動自在に取り付けられている。ムービングボードは、スライダーの上に取り付けられており、ベースに枢動自在に接続されている。緩衝装置は、突起、ブロック及び弾性部材を有している。突起は、ムービングボードに固定的に配設されている。ブロックは、ベースに滑動自在に取り付けられており、突起に当接する。弾性部材は、ブロック及びベースに当接している。ムービングボードが枢動されると、ブロックは、突起によって駆動されて、移動する。
【０００９】
本発明の他の目的、利点及び新規な特徴は、下記の詳細な説明と添付の図面の併用により、さらに明らかになるであろう。
【図面の簡単な説明】
【００１０】
【図１】図１は、本発明によるフラットクリンチ型ステープラの第１の実施形態の斜視図である。
【図２】図２は、図１のフラットクリンチ型ステープラの部分分解斜視図である。
【図３】図３は、図２のフラットクリンチ型ステープラの拡大部分分解斜視図である。
【図４】図４は、図１のフラットクリンチ型ステープラの部分断面拡大斜視図である。
【図５】図５は、図１のフラットクリンチ型ステープラの拡大横断面上面図である。
【図６】図６は、図１のフラットクリンチ型ステープラの部分断面拡大側面図で、ムービングボードが枢動されていない状態を示すものである。
【図７】図７は、図１のフラットクリンチ型ステープラの部分断面拡大側面図で、ムービングボードが枢動されつつある状態を示すものである。
【図８】図８は、図１のフラットクリンチ型ステープラの部分断面拡大側面図で、ムービングボードがいっぱいまで枢動された状態を示すものである。
【図９】図９は、図１のフラットクリンチ型ステープラの拡大横断面側面図で、突起がブロックに当接している状態を示すものである。
【図１０】図１０は、本発明によるフラットクリンチ型ステープラの第２の実施形態の部分断面拡大側面図で、突起がブロックに当接している状態を示すものである。
【図１１】図１１は、従来技術による従来のフラットクリンチ型ステープラの側面図である。
【発明を実施するための形態】
【００１１】
図１〜２を参照すると、本発明によるフラットクリンチ型ステープラの第１の実施形態は、ベース１０、マガジンアセンブリ２０、ハンドル装置３０、フラットクリンチ装置４０及び緩衝装置５０を備えている。
【００１２】
図１、２及び５を参照すると、ベース１０は、前端部、中央部分及び後端部を有している。ベース１０の後端部は、ベース１０の前端部に対向している。ベース１０の中央部分は、ベース１０の前端部と後端部との間に位置している。
【００１３】
好ましくは、ベース１０は、支柱１１、案内溝１２及び突出部１３を有している。支柱１１は、ベース１０の前端部から突出しており、かつ、横に延出している。案内溝１２は、ベース１０の中央部分に形成されており、かつ、ベース１０の前端部及び後端部に向かって延出している。案内溝１２は、長方形の前部領域１２１及び長方形の後部領域１２２を有している。案内溝１２の前部領域１２１は、幅を有している。後部領域１２２は、前部領域１２１と連通しており、前部領域１２１の幅より大きな幅を有している。突出部１３は、案内溝１２の後部領域１２２の内面から突出している。
【００１４】
マガジンアセンブリ２０は、後端部及び底部側を有している。マガジンアセンブリ２０の後端部は、ベース１０の後端部に枢動自在に接続されている。
【００１５】
ハンドル装置３０は、マガジンアセンブリ２０の上に取り付けられており、後端部及び２つのアーム３１を有している。ハンドル装置３０の後端部は、ベース１０の後端部に枢動自在に接続されている。アーム３１は、ハンドル装置３０から下方に突出しており、それぞれ底部端部を有している。アーム３１の２つの底部端部は、マガジンアセンブリ２０の底部側の下に位置している。マガジンアセンブリ２０及びハンドル装置３０は、従来のものでよく、従って、詳細な説明は省略する。
【００１６】
図２〜４を参照すると、フラットクリンチ装置４０は、スライダー４１、ムービングボード４２、２つのムービングボードスプリング４３及びクリンチユニット４４を有している。
【００１７】
スライダー４１は、ベース１０の中央部分に滑動自在に取り付けられており、前端部、後端部、貫通孔４１１及び２つの被押圧部４１２を有している。スライダー４１の前端部は、ベース１０の前端部に隣接している。スライダー４１の後端部は、スライダー４１の前端部に対向している。スライダー４１の貫通孔４１１は、長方形であり、スライダー４１を貫通して形成されている。被押圧部４１２は、スライダー４１の後端部の２つの対向する側から突出しており、２つの対向する側にそれぞれ位置している。
【００１８】
２つのアーム３１は、ハンドル装置３０を枢動させた時、下降して、それぞれ被押圧部４１２に当接する。次いで、２つのアーム３１は、徐々に枢動され、それぞれ被押圧部４１２を押す。これにより、ハンドル装置３０は、スライダー４１を駆動して、後方に滑動させることができる。
【００１９】
ムービングボード４２は、スライダー４１の上に取り付けられており、底面、前端部及び後端部を有している。ムービングボード４２の後端部は、ムービングボード４２の前端部に対向しており、ベース１０に枢動自在に接続されている。ムービングボード４２は、スライダー４１により制限されており、スライダー４１がベース１０の後端部に向かって後方に移動しない時は、下降しないようになっている。
【００２０】
２つのムービングボードスプリング４３は、ムービングボード４２の前端部の下に取り付けられている。各ムービングボードスプリング４３は、ムービングボード４２の前端部及びベース１０の前端部にそれぞれ当接する２つの端部を有している。ムービングボードスプリング４３は、枢動されるムービングボード４２が、ムービングボード４２の最初の位置に戻ることを可能にするものである。
【００２１】
クリンチユニット４４は、ムービングボード４２の前端部に取り付けられている。好ましくは、クリンチユニット４４は、２つの枢動チャンク４４１を有している。枢動チャンク４４１は、ムービングボード４２の前端部の２つの対向する側に、それぞれ、かつ、枢動自在に取り付けられており、それぞれ底部を有している。２つの枢動チャンク４４１の２つの枢動点は、水平面に位置している。ムービングボード４２が、下方に枢動されると、枢動チャンク４４１は、支柱１１によって押され、それぞれ上方に枢動する。これにより、ステープルは、フラットクリンチされる。
【００２２】
図２、３、及び６を参照すると、緩衝装置５０は、突起５１、ブロック５２及び弾性部材５３を有している。
【００２３】
突起５１は、ムービングボード４２の底面に形成されおり、スライダー４１の貫通孔４１１を貫通して取り付けられており、突起当接部５１１及び底部側を有する後端部を有している。突起当接部５１１は、突起５１の後端部の底部側に形成されている。
【００２４】
ブロック５２は、ベース１０の中央部分に取り付けられており、ベース１０の前端部と後端部との間で滑動自在であり、かつ、前端部、後部側、ブロック当接部５２１、案内部５２２、制限部５２３及びランプ部５２４を有している。ブロック５２の前端部は、上部側を有している。
【００２５】
ブロック当接部５２１は、ブロック５２の前端部の上部側に形成されており、突起当接部５１１に当接する。
【００２６】
図９を参照すると、好ましくは、突起当接部５１１及びブロック当接部５２１は、傾斜面である。ブロック当接部５２１と水平面Ｈとの間の角度は、３０度から６０度の範囲である。
【００２７】
図５をさらに参照すると、案内部５２２は、ブロック５２が、案内溝１２に沿って前方又は後方に滑動することができるよう、案内溝１２の前部領域１２１に取り付けられている。
【００２８】
制限部５２３は、長方形の板であり、案内部５２２の下に位置して案内部５２２に形成されており、案内溝１２の前部領域１２１の幅より大きな幅を有している。制限部５２３は、ブロック５２が、ベース１０から逃げるのを防ぐものである。ランプ部５２４は、ブロック５２の後部側に位置している。
【００２９】
弾性部材５３は、ベース１０の前端部及び後端部に向かって延出しており、ブロック５２及びベース１０に当接している。突起５１は、ブロック５２を駆動して移動させることができる。好ましくは、弾性部材５３は、圧縮ばねである。弾性部材５３の２つの対向端部は、それぞれ、突出部１３及びブロック５２のランプ部５２４の周りに取り付けられている。
【００３０】
図６〜８を参照すると、本発明によるフラットクリンチ型ステープラが使用されつつある。
【００３１】
先ず、ハンドル装置３０が枢動され、かつ、マガジンアセンブリ２０も枢動される。スライダー４１が押されて、ベース１０に対して後方に滑動する。スライダー４１が滑動した後では、ムービングボード４２は、スライダー４１によって制限されることなく、下方に枢動可能となる。
【００３２】
ムービングボード４２が枢動されるにつれて、突起５１が下降する。突起当接部５１１が、ブロック当接部５２１に当接すると、突起５１は、ブロック５２を押して、ブロック５２を案内溝１２に沿って後方に滑動させる。これにより、弾性部材５３は、徐々に圧縮される。
【００３３】
一方、支柱１１が、ムービングボード４２の前端部に入り、ムービングボード４２が徐々に下方に枢動されるにつれて、２つの枢動チャンク４４１を上方に押す。これにより、２つの枢動チャンク４４１が、枢動され、ステープルをフラットクリンチする。
【００３４】
最後に、ブロック５２が、突起５１により特定の位置まで押されると、枢動チャンク４４１も、支柱１１によって特定の位置まで枢動され、フラットクリンチング手順が完了する。ムービングボード４２が、スライダー４１による制限から解放されて、下降し始める瞬間において、ムービングボード４２が、唐突に枢動して下降することはない。これは、ムービングボード４２に形成されている突起５１が、依然としてブロック５２に当接しているからである。ムービングボード４２は、ユーザーの押圧力が増大して、弾性部材５３の弾性力に打ち勝った後に、下降し、かつ、枢動することができる。したがって、ユーザーは、従来のムービングボードスプリングの弾性力の代わりに、主として緩衝装置５０の弾性部材５３の弾性力に打ち勝つことになる。ブロック５２が、突起５１により、特定の位置まで、押されると、フラットクリンチング手順が完了し、したがって、ユーザーは、判断を誤ることはない。これにより、本発明は、ユーザーが、円滑にステープラを使用することを可能にし、ムービングボード４２を押圧する際に、ぎごちない唐突な感じを与えない。
【００３５】
本発明においては、突起当接部５１１及びブロック当接部５２１の少なくとも一方は、ブロック５２が、突起５１により押されて、滑動することができるよう、傾斜面である。
【００３６】
さらに、突起当接部５１１及びブロック当接部５２１は、傾斜面であることに限定されず、傾斜凸面であってもよい。突起当接部５１１又はブロック当接部５２１は、ブロック５２が、突起５１により押されて滑動することができるよう、傾斜させてある。本発明は、突起当接部５１１及びブロック当接部５２１の様式を限定しない。好ましくは、ブロック当接部５２１と水平面との間の角度は、最適な結果を得るため、３０度〜６０度の範囲とする。
【００３７】
図１０を参照すると、本発明によるフラットクリンチ型ステープラの第２の実施形態は、第１の実施形態と実質的に同じである。突起５１Ａは、底部側を有する前端部を有している。突起当接部５１１Ａは、突起５１Ａの前端部の底部側に形成されている。ブロック５２Ａは、上部側を有する後端部を有している。ブロック当接部５２１Ａは、ブロック５２Ａの後端部の上部側に形成されている。弾性部材５３Ａは、ブロック５２Ａの前に位置する圧縮ばねであり、弾性部材５３Ａの２つの対向端部は、ブロック５２Ａ及びベース１０Ａに、それぞれ、かつ、固定的に取り付けられている。これにより、弾性部材５３Ａは、ブロック５２Ａが、突起５１Ａにより押される時、圧縮され、緩衝効果も達成される。本発明は、突起５１、５１Ａ、ブロック５２、５２Ａ及び弾性部材５３、５３Ａの場所及び様式を限定しない。
【００３８】
本発明は、案内溝１２を有さないで、代わりに軌道を有していてもよい。軌道は、ベース１０の中央部分に取り付けられており、ブロック５２と接続されている。これにより、軌道は、ブロック５２を案内して、ブロック５２を前方又は後方に滑動させることができる。
【００３９】
上記の説明から、本発明には、下記の利点が有ることが明らかである。
【００４０】
ムービングボード４２が、スライダー４１によって制限されずに下降し始める瞬間において、ムービングボード４２が、唐突に枢動し、かつ、下降することがない。これは、ムービングボード４２に形成されている突起５１、５１Ａが、依然として、ブロック５２、５２Ａに当接しているためである。ムービングボード４２は、ユーザーの押圧力が増大して、弾性部材５３、５３Ａの弾性力に打ち勝ったのちに、徐々に枢動して、フラットクリンチングを行なうことができる。
【００４１】
したがって、ユーザーは、従来のムービングボードスプリングの弾性力の代わりに、主として緩衝装置５０の弾性部材５３、５３Ａの弾性力に打ち勝つことになる。ブロック５２、５２Ａが、突起５１、５１Ａにより、特定の位置まで押されると、フラットクリンチング手順が完了し、したがって、ユーザーは、判断を誤ることがない。さらに、本発明は、ユーザーが円滑にステープラを使用することを可能にし、ムービングボードを押圧する際に、ユーザーにぎごちない唐突な感じを与えない。
【００４２】
上記の説明では、本発明の構成及び機能の詳細と共に、本発明の多数の特徴及び利点を記述したが、本開示は、説明に過ぎず、細部において、特に、部品の形状、サイズ、及び配置の点で、本発明の原理内において、添付のクレームを表現するのに用いた用語の広い一般的な意味によって示される最大限の程度まで、変更を行なってよい。
【符号の説明】
【００４３】
１０  ベース
１１  支柱
１２  案内溝
１３  突出部
２０  マガジンアセンブリ
３０  ハンドル装置
３１  アーム
４０  フラットクリンチ装置
４１  スライダー
４２  ムービングボード
４３  ムービングボードスプリング
４４  クリンチユニット
５０  緩衝装置
５１  突起
５２  ブロック
５３  弾性部材
７０  ハンドル装置
８１  スライダー
８２  ムービングボード
８３  ムービングボードスプリング
【図１】
2014042978.tif 000003
【図２】
2014042978.tif 000004
【図３】
2014042978.tif 000005
【図４】
2014042978.tif 000006
【図５】
2014042978.tif 000007
【図６】
2014042978.tif 000008
【図７】
2014042978.tif 000009
【図８】
2014042978.tif 000010
【図９】
2014042978.tif 000011
【図１０】
2014042978.tif 000012
【図１１】
2014042978.tif 000013